(57)【特許請求の範囲】
【請求項１】
かごの上部に並んで配置されている複数の手摺
を備え、
前記複数の手摺のそれぞれは、低手摺位置と、前記低手摺位置よりも高い高手摺位置との間で前記かごに対して変位可能な可動手摺部材を有し、
前記複数の手摺のいずれかは、基準手摺になっており、
前記基準手摺からは、２つ以上の前記手摺が係合手摺として順次隣り合って配置されており、
前記基準手摺の前記可動手摺部材が前記高手摺位置に保持されている状態では、前記基準手摺の隣に位置する前記係合手摺の前記可動手摺部材が前記基準手摺の前記可動手摺部材に掛かるとともに、互いに隣り合う前記係合手摺のうち、前記基準手摺から遠い側の前記係合手摺の前記可動手摺部材が前記基準手摺に近い側の前記係合手摺の前記可動手摺部材に掛かることにより、各前記係合手摺のそれぞれの前記可動手摺部材が前記高手摺位置に保持されており、
互いに隣り合う前記係合手摺のそれぞれの前記可動手摺部材のうち、一方の前記可動手摺部材には、他方の前記可動手摺部材に掛かる突起物が固定されているエレベータのかご上手摺装置。
【請求項２】
前記複数の手摺のそれぞれの前記可動手摺部材は、前記かごの上部に対して回動することにより前記高手摺位置と前記低手摺位置との間で変位される請求項１に記載のエレベータのかご上手摺装置。
【請求項３】
前記複数の手摺のそれぞれの前記可動手摺部材は、前記かごの上部に対して上下方向へ変位することにより前記高手摺位置と前記低手摺位置との間で変位される請求項１に記載のエレベータのかご上手摺装置。
【請求項４】
前記基準手摺には、前記基準手摺の前記可動手摺部材が前記高手摺位置に達したことを検出可能な保守運転スイッチが設けられている請求項１〜請求項３のいずれか一項に記載のエレベータのかご上手摺装置。
【請求項５】
前記複数の手摺によって構成されている手摺群の端部に位置する前記係合手摺は、終端手摺になっており、
前記終端手摺には、前記終端手摺の前記可動手摺部材が前記低手摺位置に達したことを検出可能な通常運転スイッチが設けられている請求項１〜請求項４のいずれか一項に記載のエレベータのかご上手摺装置。
【発明の詳細な説明】
【技術分野】
【０００１】
この発明は、かごの上部に設けられているエレベータのかご上手摺装置に関するものである。
【背景技術】
【０００２】
従来、複数の折り畳み式のかご上安全柵をかごの上部に設置したエレベータが知られている（例えば特許文献１参照）。
【先行技術文献】
【特許文献】
【０００３】
【特許文献１】特開２００８−１１０８６３号公報
【発明の概要】
【発明が解決しようとする課題】
【０００４】
しかし、特許文献１に示されている従来のエレベータでは、作業者がかご上で作業する際に複数のかご上安全柵を個別に組み立てるため、かご上安全柵の組み立て忘れ等によって一部のかご上安全柵が組み立てられないままになってしまうおそれがある。【０００５】
この発明は、上記のような課題を解決するためになされたものであり、一部の手摺が組み立てられないままになることをより確実に防止することができるエレベータのかご上手摺装置を得ることを目的とする。
【課題を解決するための手段】
【０００６】
この発明によるエレベータのかご上手摺装置は、かごの上部に並んで配置されている複数の手摺を備え、複数の手摺のそれぞれは、低手摺位置と、低手摺位置よりも高い高手摺位置との間でかごに対して変位可能な可動手摺部材を有し、複数の手摺のいずれかは、基準手摺になっており、基準手摺からは、２つ以上の手摺が係合手摺として順次隣り合って配置されており、基準手摺の可動手摺部材が高手摺位置に保持されている状態では、基準手摺の隣に位置する係合手摺の可動手摺部材が基準手摺の可動手摺部材に掛かるとともに、互いに隣り合う係合手摺のうち、基準手摺から遠い側の係合手摺の可動手摺部材が基準手摺に近い側の係合手摺の可動手摺部材に掛かることにより、各係合手摺のそれぞれの可動手摺部材が高手摺位置に保持されており、互いに隣り合う係合手摺のそれぞれの可動手摺部材のうち、一方の可動手摺部材には、他方の可動手摺部材に掛かる突起物が固定されている。
【発明の効果】
【０００７】
この発明によるエレベータのかご上手摺装置によれば、基準手摺の可動手摺部材を高手摺位置に保持することによって、すべての手摺を高手摺位置に保持することができ、一部の手摺が組み立てられないままになることをより確実に防止することができる。
【図面の簡単な説明】
【０００８】
【図１】この発明の実施の形態１によるエレベータのかごを示す平面図である。
【図２】図１のかごの上部を示す正面図である。
【図３】図１の矢印ＩＩＩに沿って見たときのかごの上部を示す左側面図である。
【図４】図１の矢印ＩＶに沿って見たときのかごの上部を示す右側面図である。
【図５】図３の保持機構を示す斜視図である。
【図６】図１のＶＩ部内の可動手摺部材及び突起物を示す斜視図である。
【図７】図２のＶＩＩ部内の保守運転スイッチを示す拡大図である。
【図８】図４の右側手摺の可動手摺部材が低手摺位置にあるときの通常運転スイッチを示す拡大図である。
【図９】この発明の実施の形態２によるエレベータのかごを示す平面図である。
【図１０】図９の矢印Ｘに沿って見たときのかごの上部を示す右側面図である。
【図１１】図９のかご上手摺装置の状態が収納状態になっているときのかごを示す平面図である。
【図１２】図９のＸＩＩ−ＸＩＩ線に沿った断面図である。
【図１３】図１０のＸＩＩＩ部内の可動手摺部材及び突起物を示す斜視図である。
【図１４】図９の保守運転スイッチを示す拡大図である。
【図１５】図１１の通常運転スイッチを示す拡大図である。
【発明を実施するための形態】
【０００９】
以下、この発明の実施の形態について図面を参照して説明する。
実施の形態１．
図１は、この発明の実施の形態１によるエレベータのかごを示す平面図である。また、図２は、図１のかごの上部を示す正面図である。さらに、図３は図１の矢印ＩＩＩに沿って見たときのかごの上部を示す左側面図、図４は図１の矢印ＩＶに沿って見たときのかごの上部を示す右側面図である。図において、昇降路内には、かご１が上下方向へ移動可能に設けられている。かご１は、昇降路内に設置された図示しない駆動装置の駆動力により上下方向へ移動する。
【００１０】
かご１は、底面、上面２ａ、正面２ｂ、背面２ｃ及び一対の側面２ｄを持つかご本体２を有している。かご本体２の正面２ｂ及び背面２ｃは、かご１の奥行き方向について互いに対向している。かご本体２の一対の側面２ｄは、かご１の幅方向について互いに対向している。かご本体２の正面２ｂには、かごドアにより開閉されるかご出入口３が設けられている。
【００１１】
建物の各階には、図示しない乗場出入口がそれぞれ設けられている。各階の乗場と昇降路内とは、各乗場出入口を通して互いに連通されている。各乗場出入口は、乗場ドアにより開閉される。かご１が階に停止している状態では、かご１の停止階に設けられた乗場出入口とかご出入口３とが同時に開くことにより、乗場とかご１内との間で乗客の移動が可能になる。
【００１２】
エレベータの運転は、昇降路内に設置された図示しない制御装置により制御される。また、エレベータの運転は、通常のサービス運転を行う通常運転モードと、通常運転モード時よりもかご１を低速で移動させる保守運転モードとの間で切り替え可能になっている。駆動装置及び制御装置の少なくともいずれかは、昇降路１内の上部に昇降路内上部機器として設置されている。
【００１３】
エレベータでは、作業者がかご本体２の上面２ａに乗った状態で昇降路内の機器の保守点検作業を行うことがある。かご１の上部には、図示しない保守時かご上操作部が設けられている。保守運転モード時には、かご本体２の上面２ａに乗った作業者が、かご１を低速で移動させるために保守時かご上操作部を操作する。作業者は、乗場の床の高さ位置にかご本体２の上面２ａの高さ位置を合わせてかご１を停止させた状態で、乗場から乗場出入口を通してかご本体２の上面２ａに乗り込む。
【００１４】
かご１の上部には、かご上手摺装置４が設けられている。かご上手摺装置４は、左側手摺１１、背面手摺１２及び右側手摺１３を複数の手摺として有している。左側手摺１１、背面手摺１２及び右側手摺１３は、左側手摺１１、背面手摺１２、右側手摺１３の順に並んでかご１の上部に配置されている。また、左側手摺１１、背面手摺１２及び右側手摺１３は、かご本体２の上面２ａに設定された設定作業範囲の周囲に設定作業範囲を囲むように連続して並んでいる。左側手摺１１は一方の側面２ｄに沿って配置され、右側手摺１３は他方の側面２ｄに沿って配置されている。背面手摺１２は、背面２ｃに沿って配置されている。
【００１５】
左側手摺１１、背面手摺１２及び右側手摺１３（以下、「手摺１１，１２，１３」という）のそれぞれは、かご本体２の上面２ａから上方へ突出した状態でかご本体２の上面２ａに固定されている固定手摺部材２１と、固定手摺部材２１に設けられている可動手摺部材２２とを有している。
【００１６】
固定手摺部材２１は、水平方向について互いに離して配置された複数の固定縦材を有している。この例では、固定手摺部材２１の各固定縦材が上下方向に沿ったパイプになっている。
【００１７】
可動手摺部材２２は、固定手摺部材２１の各固定縦材にスライド可能にそれぞれ設けられた複数の可動縦材と、複数の可動縦材間に固定された可動横材とを有している。この例では、可動手摺部材２２の可動縦材が、固定手摺部材２１の固定縦材であるパイプに挿入されている。これにより、可動手摺部材２２は、かご１の上部及び固定手摺部材２１に対して上下方向へ変位可能になっている。また、可動手摺部材２２は、かご１及び固定手摺部材２１に対する上下方向への変位によって、低手摺位置と、低手摺位置よりも高い高手摺位置との間でかご１及び固定手摺部材２１に対して変位される。手摺１１，１２，１３のそれぞれの高さ寸法は、可動手摺部材２２が低手摺位置にあるときよりも、可動手摺部材２２が高手摺位置にあるときのほうが高くなる。
【００１８】
かご上手摺装置４の状態は、すべての手摺１１，１２，１３の可動手摺部材２２が高手摺位置になると組み立て状態になり、すべての手摺１１，１２，１３の可動手摺部材２２が低手摺位置になると収納状態になる。なお、図１〜図４では、組み立て状態になっているときのかご上手摺装置４を示している。
【００１９】
左側手摺１１は、かご本体２の上面２ａに基準手摺として配置されている。基準手摺である左側手摺１１には、図３に示すように、左側手摺１１の可動手摺部材２２を高手摺位置に保持する保持機構１４が設けられている。
【００２０】
ここで、図５は、図３の保持機構１４を示す斜視図である。保持機構１４は、左側手摺１１の固定手摺部材２１に設けられた留め具である保持ボルト１５を有している。左側手摺１１の可動手摺部材２２の可動縦材には、複数の位置決め穴１６が設けられている。複数の位置決め穴１６は、上下方向について互いに間隔を置いて配置されている。左側手摺１１の可動手摺部材２２は、保持ボルト１５が複数の位置決め穴１６に選択的に挿入されることにより高手摺位置に保持される。また、手摺１１の可動手摺部材２２は、保持ボルト１５が位置決め穴１６から外れることにより重力で低手摺位置へ変位される。
【００２１】
基準手摺である左側手摺１１からは、背面手摺１２及び右側手摺１３が係合手摺として順次隣り合って配置されている。なお、この例では、２つの手摺１２，１３が左側手摺１１から順次隣り合っているが、３つ以上の手摺が左側手摺１１から順次隣り合って配置されてもよい。
【００２２】
基準手摺である左側手摺１１と、左側手摺１１の隣に位置する係合手摺である背面手摺１２とのうち、一方の可動手摺部材２２には、他方の可動手摺部材２２に掛かる板状の突起物２３が固定されている。この例では、左側手摺１１の可動手摺部材２２に掛かる突起物２３が、背面手摺１２の可動手摺部材２２に固定されている。また、この例では、突起物２３が背面手摺１２の可動手摺部材２２の上端部から左側手摺１１の上方に突出している。これにより、この例では、かご上手摺装置４を上から見たとき、図１に示すように、背面手摺１２に固定されている突起物２３の一部が左側手摺１１の一部に重なっている。基準手摺である左側手摺１１の可動手摺部材２２が高手摺位置に保持されている状態では、背面手摺１２の可動手摺部材２２が突起物２３を介して左側手摺１１の可動手摺部材２２に掛かることにより、背面手摺１２の可動手摺部材２２の変位が阻止され、背面手摺１２の可動手摺部材２２が高手摺位置に保持される。
【００２３】
また、互いに隣り合う２つの係合手摺である背面手摺１２及び右側手摺１３のうち、一方の可動手摺部材２２には、他方の可動手摺部材２２に掛かる板状の突起物２４が固定されている。この例では、背面手摺１２の可動手摺部材２２に掛かる突起物２４が、右側手摺１３の可動手摺部材２２に固定されている。
【００２４】
図６は、図１のＶＩ部の可動手摺部材２２及び突起物２４を示す斜視図である。この例では、突起物２４が右側手摺１３の可動手摺部材２２の上端部から背面手摺１２の上方に突出している。これにより、この例では、かご上手摺装置４を上から見たとき、右側手摺１３に固定されている突起物２４の一部が背面手摺１２の一部に重なっている。背面手摺１２の可動手摺部材２２が高手摺位置に保持されている状態では、右側手摺１３の可動手摺部材２２が突起物２４を介して背面手摺１２の可動手摺部材２２に掛かることにより、右側手摺１３の可動手摺部材２２の変位が阻止され、右側手摺１３の可動手摺部材２２が高手摺位置に保持される。
【００２５】
即ち、基準手摺である左側手摺１１の可動手摺部材２２が高手摺位置に保持されている状態では、左側手摺１１の隣に位置する背面手摺１２の可動手摺部材２２が左側手摺１１の可動手摺部材２２に突起物２３を介して掛かるとともに、互いに隣り合う係合手摺である背面手摺１２及び右側手摺１３のうち、左側手摺１１から遠い側の右側手摺１３の可動手摺部材２２が左側手摺１１に近い側の背面手摺１２の可動手摺部材２２に突起物２４を介して掛かることにより、各手摺１２，１３のそれぞれの可動手摺部材２２が高手摺位置に保持される。
【００２６】
従って、かご上手摺装置４では、各手摺１１，１２，１３のそれぞれの各可動手摺部材２２が変位されても互いに干渉することはないが、各突起物２３，２４が隣の手摺の可動手摺部材２２に掛かることにより、互いに隣り合う一方の可動手摺部材２２に対する他方の可動手摺部材２２の変位が規制される。
【００２７】
この例では、手摺１１，１２，１３によって構成されている手摺群の一端部に左側手摺１１が基準手摺として配置され、手摺群の他端部に右側手摺１３が終端手摺として配置されている。左側手摺１１の可動手摺部材２２の高手摺位置での保持が解除されると、各手摺１２，１３のそれぞれの可動手摺部材２２の保持が、基準手摺である左側手摺１１に近い手摺から順次解除される。
【００２８】
基準手摺である左側手摺１１には、左側手摺１１の可動手摺部材２２が高手摺位置に達したことを検出可能な保守運転スイッチ２５が設けられている。
【００２９】
図７は、図２のＶＩＩ部内の保守運転スイッチ２５を示す拡大図である。保守運転スイッチ２５は、被検出体であるキー２６と、キー２６を検出可能なスイッチ本体２７とを有している。キー２６は、左側手摺１１の可動手摺部材２２の可動縦材の下端部に設けられている。スイッチ本体２７は、左側手摺１１の固定手摺部材２１の固定縦材の上端部に設けられている。
【００３０】
左側手摺１１の固定手摺部材２１の固定縦材には、上下方向に沿った長穴２８が設けられている。キー２６は、長穴２８内に通されている。左側手摺１１では、可動手摺部材２２が高手摺位置と低手摺位置との間で変位されると、固定手摺部材２１に対してキー２６が長穴２８に沿って上下方向へ移動する。
【００３１】
スイッチ本体２７は、挿入穴を有している。左側手摺１１の可動手摺部材２２が高手摺位置に達すると、キー２６がスイッチ本体２７の挿入穴に挿入される。スイッチ本体２７は、キー２６が挿入穴に挿入されると、キー２６を検出して検出信号を制御装置へ出力する。
【００３２】
終端手摺である右側手摺１３には、図４に示すように、右側手摺１３の可動手摺部材２２が低手摺位置に達したことを検出する通常運転スイッチ２９が設けられている。通常運転スイッチ２９は、被検出体であるキー３０と、キー３０を検出可能なスイッチ本体４０とを有している。キー３０は、右側手摺１３の可動手摺部材２２の上端部に設けられている。スイッチ本体４０は、右側手摺１３の固定手摺部材２１の固定縦材の上端部に設けられている。
【００３３】
図８は、図４の右側手摺１３の可動手摺部材２２が低手摺位置にあるときの通常運転スイッチ２９を示す拡大図である。通常運転スイッチ２９のスイッチ本体４０は、挿入穴を有している。右側手摺１３の可動手摺部材２２が低手摺位置に達すると、キー３０がスイッチ本体４０の挿入穴に挿入される。スイッチ本体４０は、キー３０が挿入穴に挿入されると、キー３０を検出して検出信号を制御装置へ出力する。
【００３４】
制御装置には、保守運転スイッチ２５及び通常運転スイッチ２９のそれぞれからの情報が送られる。制御装置は、保守運転スイッチ２５及び通常運転スイッチ２９のそれぞれからの情報に基づいて、エレベータの運転を制御する。即ち、制御装置は、保守運転スイッチ２５からの検出信号を受けると、左側手摺１１の可動手摺部材２２が高手摺位置に達したと判定し、エレベータの運転モードを保守運転モードにする。また、制御装置は、通常運転スイッチ２９からの検出信号を受けると、右側手摺１３の可動手摺部材２２が低手摺位置に達したと判定し、エレベータの運転モードを通常運転モードにする。
【００３５】
次に、エレベータの保守点検作業の手順について説明する。エレベータのサービス運転は、通常運転モードで行われる。通常運転モード時には、かご上手摺装置４の状態が収納状態になっている。このとき、すべての手摺１１，１２，１３の可動手摺部材２２が低手摺位置に達しており、保守運転スイッチ２５からの検出信号の出力が停止されているとともに、通常運転スイッチ２９からの検出信号が制御装置へ送られている。
【００３６】
作業者がかご本体２の上面２ａに乗って保守点検作業を行うときには、例えば最上階の乗場で操作盤を操作して、かご本体２の上面２ａが乗場の床の高さに合うようにかご１を停止させ、最上階の乗場出入口を開く。
【００３７】
この後、作業者は、かご本体２の上面２ａに乗って、右側手摺１３、背面手摺１２、左側手摺１１の順に、各手摺１１，１２，１３の可動手摺部材２２を低手摺位置から高手摺位置へ順次持ち上げる。これにより、すべての手摺１１，１２，１３の可動手摺部材２２が高手摺位置に達し、かご上手摺装置４の状態が組み立て状態になる。右側手摺１３の可動手摺部材２２が低手摺位置から外れると、通常運転スイッチ２９からの検出信号の出力が停止される。なお、このとき、かご上手摺装置４では、互いに隣り合う可動手摺部材２２が突起物２３，２４を介して順次掛かっているので、作業者は、乗場から左側手摺１１の可動手摺部材２２を高手摺位置へ持ち上げることにより、背面手摺１２及び右側手摺１３のそれぞれの可動手摺部材２２を左側手摺１１の可動手摺部材２２と連動させて同時に高手摺位置へ変位させるようにしてもよい。
【００３８】
この後、作業者は、左側手摺１１の可動手摺部材２２の位置を高手摺位置にしたまま、保持機構１４の保持ボルト１５を締め込んで保持ボルト１５を位置決め穴１６に差し込み、左側手摺１１の可動手摺部材２２を高手摺位置に保持する。これにより、すべての手摺１１，１２，１３の可動手摺部材２２が高手摺位置に保持され、かご上手摺装置４の組み立て状態が維持される。
【００３９】
左側手摺１１の可動手摺部材２２が高手摺位置に達すると、保守運転スイッチ２５のスイッチ本体２７の挿入穴にキー２６が挿入される。これにより、キー２６がスイッチ本体２７によって検出され、保守運転スイッチ２５のスイッチ本体２７から制御装置へ検出信号が送られる。制御装置が保守運転スイッチ２５からの検出信号を受けると、エレベータの運転モードが保守運転モードになる。これにより、保守時かご上操作部の操作によるかご１の移動が可能になる。
【００４０】
この後、かご本体２の上面２ａに乗った作業者は、開いている乗場出入口を閉じた後、保守時かご上操作部を操作してかご１を低速で移動させる。これにより、昇降路内の機器に対する保守点検作業が可能になる。
【００４１】
作業者は、昇降路内の機器に対する保守点検作業が終わると、保守時かご上操作部を操作しながらかご１を下方へ低速で移動させ、かご本体２の上面２ａが例えば最上階の乗場の床の高さに合うようにかご１を停止させる。
【００４２】
この後、作業者は、最上階の乗場出入口を開いてかご本体２の上面２ａから乗場へ乗り移った後、かご上手摺装置４を組み立てるときと逆の手順でかご上手摺装置４の状態を収納状態にする。即ち、作業者は、保持ボルト１５を位置決め穴１６から外して左側手摺１１の可動手摺部材２２の保持を解除し、左側手摺１１の可動手摺部材２２を高手摺位置から低手摺位置へ変位させる。このとき、背面手摺１２及び右側手摺１３のそれぞれの可動手摺部材２２が、左側手摺１１の可動手摺部材２２の低手摺位置への変位に連動して左側手摺１１に近い手摺の順に、高手摺位置から低手摺位置へ順次変位される。これにより、かご上手摺装置４の状態が収納状態になる。
【００４３】
右側手摺１３の可動手摺部材２２が低手摺位置に達すると、通常運転スイッチ２９のスイッチ本体４０の挿入穴にキー３０が挿入される。これにより、キー３０がスイッチ本体４０によって検出され、通常運転スイッチ２９のスイッチ本体４０から制御装置へ検出信号が送られる。制御装置が通常運転スイッチ２９からの検出信号を受けると、エレベータの運転モードが通常運転モードになる。これにより、通常のサービス運転が可能になり、エレベータの保守点検作業が終了する。
【００４４】
このようなエレベータのかご上手摺装置４では、背面手摺１２の可動手摺部材２２が左側手摺１１の可動手摺部材２２に突起物２３を介して掛かるようになっており、互いに隣り合う係合手摺である背面手摺１２及び右側手摺１３のうち、一方の可動手摺部材２２に、他方の可動手摺部材２２に掛かる突起物２４が設けられているので、基準手摺である左側手摺１１の可動手摺部材２２を高手摺位置に保持することによって、すべての手摺１１，１２，１３を高手摺位置に保持することができ、一部の手摺が組み立てられないままになることをより確実に防止することができる。また、かご上手摺装置４の状態を収納状態にするときにも、基準手摺である左側手摺１１の可動手摺部材２２の高手摺位置での保持を解除することによって、すべての手摺１１，１２，１３の可動手摺部材２２を連動させて低手摺位置へ変位させることができる。これにより、一部の手摺が収納されないままになることも防止することができる。
【００４５】
また、かご上手摺装置４の状態を組み立て状態にするときには、基準手摺である左側手摺１１の可動手摺部材２２が高手摺位置に達しているか否かを確認するだけで、すべての手摺１１，１２，１３の可動手摺部材２２が高手摺位置に達しているか否かを確認することができる。さらに、かご上手摺装置４の状態を収納状態にするときには、終端手摺である右側手摺１３の可動手摺部材２２が低手摺位置に達しているか否かを確認するだけで、すべての手摺１１，１２，１３の可動手摺部材２２が低手摺位置に達しているか否かを確認することができる。これにより、かご上手摺装置４の状態を組み立て状態にするときの作業の手間の軽減化を図ることができるとともに、かご上手摺装置４の状態を収納状態にするときの作業の手間の軽減化も図ることができる。
【００４６】
また、基準手摺である左側手摺１１の可動手摺部材２２を高手摺位置に保持するだけで、かご上手摺装置４の状態を組み立て状態に維持することができるので、すべての手摺１１，１２，１３に保持機構１４を個別に設ける必要がなくなる。これにより、保持機構１４の設置数を１つにまで減らすことができ、コストの低減化を図ることができる。
【００４７】
また、各手摺１１，１２，１３のそれぞれの可動手摺部材２２は、かご１の上部に対して上下方向へ変位することにより高手摺位置と低手摺位置との間で変位されるので、各手摺１１，１２，１３の高さ寸法の調整を簡単な構成でかつ容易にすることができる。
【００４８】
また、基準手摺である左側手摺１１には、左側手摺１１の可動手摺部材２２が高手摺位置に達したことを検出する保守運転スイッチ２５が設けられているので、かご上手摺装置４の状態が組み立て状態になったか否かに応じてエレベータの運転を制御することができる。これにより、かご上手摺装置４の状態が不完全な組み立て状態のまま保守点検作業が行われることを回避することができる。さらに、すべての手摺１１，１２，１３に保守運転スイッチ２５を個別に設ける必要がないので、保守運転スイッチ２５の数を１つにまで減らすことができ、コストの低減化を図ることができる。
【００４９】
また、終端手摺である右側手摺１３には、右側手摺１３の可動手摺部材２２が低手摺位置に達したことを検出する通常運転スイッチ２９が設けられているので、かご上手摺装置４の状態が収納状態になったか否かに応じてエレベータの運転を制御することができる。これにより、かご上手摺装置４の状態が不完全な収納状態のままエレベータの通常運転が行われることを回避することができる。さらに、すべての手摺１１，１２，１３に通常運転スイッチ２９を個別に設ける必要がないので、通常運転スイッチ２９の数を１つにまで減らすことができ、コストの低減化を図ることができる。
【００５０】
なお、上記の例では、各手摺１１，１２，１３が固定手摺部材２１及び可動手摺部材２２を有し、可動手摺部材２２が固定手摺部材２１に対して上下方向へスライド可能になっているが、固定手摺部材２１をなくして、背面手摺１２の可動手摺部材２２をかご本体２の背面２ｃに沿って上下方向へスライド可能にするとともに、左側手摺１１及び右側手摺１３の可動手摺部材２２をかご本体２の各側面２ｄに沿って上下方向へスライド可能にしてもよい。
【００５１】
また、上記の例では、左側手摺１１の可動手摺部材２２に掛かる突起物２３が背面手摺１２の可動手摺部材２２に固定され、背面手摺１２の可動手摺部材２２に掛かる突起物２４が右側手摺１３の可動手摺部材２２に固定されているが、背面手摺１２の可動手摺部材２２に掛かる突起物２３を左側手摺１１の可動手摺部材２２に固定し、右側手摺１３の可動手摺部材２２に掛かる突起物２４を背面手摺１２の可動手摺部材２２に固定してもよい。この場合、突起物２３は左側手摺１１の可動手摺部材２２から背面手摺１２の可動手摺部材２２の可動横材の下方へ突出し、突起物２４は背面手摺１２の可動手摺部材２２から右側手摺１３の可動手摺部材２２の可動横材の下方へ突出する。
【００５２】
実施の形態２．
図９は、この発明の実施の形態２によるエレベータのかごを示す平面図である。また、図１０は、図９の矢印Ｘに沿って見たときのかごの上部を示す右側面図である。さらに、図１１は、図９のかご上手摺装置４の状態が収納状態になっているときのかごを示す平面図である。かご１の上部に設けられているかご上手摺装置４は、背面手摺３１、第１の左側手摺３２、第２の左側手摺３３、第１の右側手摺３４及び第２の右側手摺３５を複数の手摺として有している。背面手摺３１、第１の左側手摺３２、第２の左側手摺３３、第１の右側手摺３４及び第２の右側手摺３５は、設定作業範囲の周囲に設定作業範囲を囲むように連続して並んでいる。第１の左側手摺３２及び第２の左側手摺３３は一方の側面２ｄに沿って配置され、第１の右側手摺３４及び第２の右側手摺３５は他方の側面２ｄに沿って配置されている。背面手摺３１は、背面２ｃに沿って配置されている。
【００５３】
背面手摺３１、第１の左側手摺３２、第２の左側手摺３３、第１の右側手摺３４及び第２の右側手摺３５（以下、「手摺３１〜３５」という）のそれぞれは、かご本体２の上面２ａに設けられている可動手摺部材２２を有している。
【００５４】
可動手摺部材２２は、水平方向について互いに離して配置された複数の可動縦材と、複数の可動縦材間に固定された可動横材とを有している。かご本体２の上面２ａには、複数の取付具４１が設けられている。各可動手摺部材２２は、複数の取付具４１を介してかご１の上部に取り付けられている。
【００５５】
各取付具４１は、かご本体２の上面２ａに固定された固定部材４２と、固定部材４２に水平に設けられた取付軸４３とを有している。各可動手摺部材２２は、取付軸４３を中心としてかご１の上部に対して回動可能になっている。
【００５６】
具体的には、背面手摺３１の可動手摺部材２２は、かご１の幅方向に沿った取付軸４３を中心に回動可能になっている。第１の左側手摺３２、第２の左側手摺３３、第１の右側手摺３４及び第２の右側手摺３５のそれぞれの可動手摺部材２２は、かご１の奥行き方向に沿った取付軸４３を中心に回動可能になっている。
【００５７】
各可動手摺部材２２は、かご１の上部に対する回動によって、低手摺位置と、低手摺位置よりも高い高手摺位置との間で変位される。可動手摺部材２２は、かご１の上部に対して倒れることにより低手摺位置に達し、かご１の上部に対して起立することにより高手摺位置に達する。各手摺３１〜３５のそれぞれの高さ寸法は、可動手摺部材２２が低手摺位置にあるときよりも、可動手摺部材２２が高手摺位置にあるときのほうが高くなる。
【００５８】
かご上手摺装置４の状態は、すべての手摺３１〜３５の可動手摺部材２２が高手摺位置になると組み立て状態（図９及び図１０）になり、すべての手摺３１〜３５の可動手摺部材２２が低手摺位置になると収納状態（図１１）になる。
【００５９】
背面手摺３１は、かご本体２の上面２ａに基準手摺として配置されている。基準手摺である背面手摺３１には、背面手摺３１の可動手摺部材２２を高手摺位置に保持する保持機構３６が設けられている。
【００６０】
ここで、図１２は、図９のＸＩＩ−ＸＩＩ線に沿った断面図である。背面手摺３１の可動手摺部材２２をかご本体２の上面２ａに取り付ける固定部材４２には、上下方向に沿った長穴４５が設けられている。背面手摺３１の取付軸４３は、固定部材４２の長穴４５に通されている。これにより、背面手摺３１の取付軸４３は、固定部材４２に対して長穴４５に沿ってスライド可能になっている。背面手摺３１の可動手摺部材２２は、取付軸４３が長穴４５に沿ってスライドすることにより、かご１の上部に対して上下方向へ変位される。
【００６１】
保持機構３６は、背面手摺３１の可動手摺部材２２の可動縦材に固定された突起部３７を有している。突起部３７は、取付軸４３の上方で取付軸４３と平行に配置されている。固定部材４２の上端部には、突起部３７が嵌る凹部３８が設けられている。凹部３８は、上方に向けて開放されている。突起部３７が凹部３８に嵌った状態では、背面手摺３１の可動手摺部材２２が起立した状態で保持され、背面手摺３１の可動手摺部材２２が高手摺位置に保持される。突起部３７が凹部３８から外れると、背面手摺３１の可動手摺部材２２が起立した状態からかご１の内側へ倒れて、背面手摺３１の可動手摺部材２２が高手摺位置から低手摺位置へ変位される。
【００６２】
基準手摺である背面手摺３１の一端部からは、図９に示すように、第１の左側手摺３２及び第２の左側手摺３３が係合手摺として順次隣り合って配置され、背面手摺３１の他端部からは、第１の右側手摺３４及び第２の右側手摺３５が係合手摺として順次隣り合って配置されている。この例では、２つの手摺３２，３３が手摺３１の一端部から順次隣り合っており、２つの手摺３４，３５が手摺３１の他端部から順次隣り合っているが、３つ以上の手摺が背面手摺３１から順次隣り合って配置されていてもよい。
【００６３】
基準手摺である背面手摺３１の可動手摺部材２２が高手摺位置に保持されている状態では、背面手摺３１の隣に位置する係合手摺である第１の左側手摺３２及び第１の右側手摺３４のそれぞれの可動手摺部材２２が背面手摺３１の可動手摺部材２２に掛かることにより、第１の左側手摺３２及び第１の右側手摺３４のそれぞれの可動手摺部材２２の変位が阻止され、可動手摺部材２２が高手摺位置に保持される。
【００６４】
互いに隣り合う２つの係合手摺である第１の左側手摺３２及び第２の左側手摺３３のうち、一方の可動手摺部材２２には、他方の可動手摺部材２２に掛かる板状の突起物４６が固定されている。また、互いに隣り合う２つの係合手摺である第１の右側手摺３４及び第２の右側手摺３５のうち、一方の可動手摺部材２２には、他方の可動手摺部材２２に掛かる板状の突起物４７が固定されている。この例では、第１の左側手摺３２の可動手摺部材２２に掛かる突起物４６が第２の左側手摺３３の可動手摺部材２２に固定され、第１の右側手摺３４の可動手摺部材２２に掛かる突起物４７が第２の右側手摺３５の可動手摺部材２２に固定されている。
【００６５】
図１３は、図１０のＸＩＩＩ部内の可動手摺部材２２及び突起物４７を示す斜視図である。この例では、突起物４７が第２の右側手摺３５の上端部から第１の右側手摺３４よりもかご１の外側へ突出している。第１の右側手摺３４の可動手摺部材２２が高手摺位置に保持されている状態では、第２の右側手摺３５の可動手摺部材２２が突起物４７を介して第１の右側手摺３４の可動手摺部材２２に掛かることにより、第２の右側手摺３５の可動手摺部材２２が高手摺位置に保持される。
【００６６】
同様に、第１の左側手摺３２の可動手摺部材２２が高手摺位置に保持されている状態では、第２の左側手摺３３の可動手摺部材２２が突起物４６を介して第１の左側手摺３２の可動手摺部材２２に掛かることにより、第２の左側手摺３３の可動手摺部材２２が高手摺位置に保持される。
【００６７】
即ち、基準手摺である背面手摺３１の可動手摺部材２２が高手摺位置に保持されている状態では、背面手摺３１の隣に位置する第１の左側手摺３２の可動手摺部材２２が背面手摺３１の可動手摺部材２２に掛かるとともに、互いに隣り合う係合手摺である第１の左側手摺３２及び第２の左側手摺３３のうち、背面手摺３１から遠い側の第２の左側手摺３３の可動手摺部材２２が背面手摺３１に近い側の第１の左側手摺３２の可動手摺部材２２に突起物４６を介して掛かることにより、各手摺３２，３３のそれぞれの可動手摺部材２２が高手摺位置に保持される。また、背面手摺３１の可動手摺部材２２が高手摺位置に保持されている状態では、第１の右側手摺３４及び第２の右側手摺３５のうち、背面手摺３１から遠い側の第２の右側手摺３５の可動手摺部材２２が背面手摺３１に近い側の第１の右側手摺３４の可動手摺部材２２に突起物４７を介して掛かることにより、各手摺３４，３５のそれぞれの可動手摺部材２２が高手摺位置に保持される。
【００６８】
この例では、手摺３１〜３５によって構成されている手摺群の中間部に背面手摺３１が基準手摺として配置され、手摺群の両端部に第２の左側手摺３３及び第２の右側手摺３５が終端手摺としてそれぞれ配置されている。背面手摺３１の可動手摺部材２２の高手摺位置での保持が解除されると、各手摺３２〜３５のそれぞれ可動手摺部材２２の変位の阻止が、基準手摺である背面手摺３１に近い手摺から順次解除される。
【００６９】
基準手摺である背面手摺３１には、背面手摺３１の可動手摺部材２２が高手摺位置に達したことを検出可能な保守運転スイッチ５１が設けられている。
【００７０】
図１４は、図９の保守運転スイッチ５１を示す拡大図である。保守運転スイッチ５１は、かご本体２の上面２ａに支持されている。また、保守運転スイッチ５１は、スイッチ本体５２と、スイッチ本体５２に設けられている操作部５３とを有している。
【００７１】
操作部５３は、スイッチ本体５２から突出する前進位置と、スイッチ本体５２からの突出量が前進位置よりも少なくなる後退位置との間で変位可能になっている。スイッチ本体５２は、操作部５３が後退位置に達することにより制御装置へ検出信号を出力する。スイッチ本体５２から制御装置への検出信号の出力は、操作部５３が後退位置から前進位置へ戻ることにより停止する。
【００７２】
背面手摺３１の可動手摺部材２２が高手摺位置に達すると、操作部５３が背面手摺３１の可動手摺部材２２に押されて前進位置から後退位置に変位される。これにより、保守運転スイッチ５１から検出信号が制御装置へ送られる。また、背面手摺３１の可動手摺部材２２が高手摺位置から低手摺位置へ変位されると、背面手摺３１の可動手摺部材２２か操作部５３から外れて、操作部５３が後退位置から前進位置へ変位される。これにより、保守運転スイッチ５１から制御装置への検出信号の送信は停止する。
【００７３】
２つの終端手摺である第２の左側手摺３３及び第２の右側手摺３５には、第２の左側手摺３３及び第２の右側手摺３５のそれぞれの可動手摺部材２２が低手摺位置に達したことを検出可能な通常運転スイッチ５４が設けられている。
【００７４】
図１５は、図１１の通常運転スイッチ５４を示す拡大図である。通常運転スイッチ５４は、被検出体であるキー５５と、キー５５を検出可能なスイッチ本体５６とを有している。第２の左側手摺３３及び第２の右側手摺３５のうち、一方の可動手摺部材２２にはキー５５が設けられ、他方の可動手摺部材２２にはスイッチ本体５６が設けられている。この例では、第２の右側手摺３５の可動手摺部材２２にキー５５がワイヤ５７を介して接続され、第２の左側手摺３３の可動手摺部材２２にスイッチ本体５６が固定されている。ワイヤ５７の長さは、第２の左側手摺３３及び第２の右側手摺３５のそれぞれの可動手摺部材２２が低手摺位置にあるときにキー５５がスイッチ本体５６に届く程度の長さになっている。
【００７５】
スイッチ本体５６には、挿入穴が設けられている。スイッチ本体５６は、キー５５が挿入穴に挿入されると、キー５５を検出して検出信号を制御装置へ出力する。
【００７６】
制御装置には、保守運転スイッチ５１及び通常運転スイッチ５４のそれぞれからの情報が送られる。制御装置は、保守運転スイッチ５１及び通常運転スイッチ５４のそれぞれからの情報に基づいて、エレベータの運転を制御する。制御装置による制御は、実施の形態１と同様である。
【００７７】
次に、エレベータの保守点検作業の手順について説明する。まず、作業者は、実施の形態１と同様にしてかご本体２の上面２ａに乗った後、第２の左側手摺３３、第１の左側手摺３２の順に可動手摺部材２２を低手摺位置から高手摺位置へ順次持ち上げ、第２の右側手摺３５、第１の右側手摺３４の順に可動手摺部材２２を低手摺位置から高手摺位置へ順次持ち上げる。この後、基準手摺である背面手摺３１の可動手摺部材２２を低手摺位置から高手摺位置へ持ち上げる。これにより、すべての手摺３１〜３５の可動手摺部材２２が高手摺位置に達し、かご上手摺装置４の状態が組み立て状態になる。
【００７８】
この後、作業者は、背面手摺３１において、保持機構３６の突起部３７を固定部材４２の凹部３８に嵌める。これにより、背面手摺３１の可動手摺部材２２が高手摺位置に保持され、かご上手摺装置４の状態が組み立て状態に維持される。
【００７９】
背面手摺３１の可動手摺部材２２が高手摺位置に達すると、保守運転スイッチ５１の操作部５３が背面手摺３１の可動手摺部材２２に押されて、保守運転スイッチ５１から検出信号が制御装置へ送られる。制御装置が保守運転スイッチ５１からの検出信号を受けると、エレベータの運転モードが保守運転モードになる。これにより、保守時かご上操作部の操作によるかご１の移動が可能になる。
【００８０】
この後、実施の形態１と同様にして、昇降路内の機器に対する保守点検作業が終わり、かご１を低速で移動させ、かご本体２の上面２ａが例えば最上階の乗場の床の高さに合うようにかご１を停止させる。この後、作業者は、保持機構３６の突起部３７を凹部３８から外すことにより背面手摺３１の可動手摺部材２２の高手摺位置での保持を解除し、背面手摺３１の可動手摺部材２２を高手摺位置から低手摺位置へ変位させる。このとき、第１の左側手摺３２、第２の左側手摺３３、第１の右側手摺３４及び第２の右側手摺３５のそれぞれの可動手摺部材２２が、背面手摺３１の可動手摺部材２２の低手摺位置への変位に連動して背面手摺３１に近い手摺の順に、高手摺位置から低手摺位置へ順次変位される。これにより、かご上手摺装置４の状態が収納状態になる。
【００８１】
この後、作業者は、乗場出入口を通って乗場に移動した後、通常運転スイッチ５４のキー５５をスイッチ本体５６の挿入穴に差し込む。これにより、キー５５がスイッチ本体５６によって検出され、通常運転スイッチ５４から制御装置へ検出信号が送られる。制御装置が通常運転スイッチ５４からの検出信号を受けると、エレベータの運転モードが通常運転モードになる。これにより、通常のサービス運転が可能になり、エレベータの保守点検作業が終了する。
【００８２】
このように、各手摺３１〜３５のそれぞれの可動手摺部材２２をかご１の上部に対して回動するようにしても、各手摺３１〜３５の高さ寸法の調整を簡単な構成でかつ容易にすることができる。また、互いに隣り合う可動手摺部材２２同士が突起物４６，４７を介して掛かるようにすることにより、すべての手摺３１〜３５を高手摺位置に保持することができ、一部の手摺が組み立てられないままになることをより確実に防止することができる。さらに、かご上手摺装置４の状態を収納状態にするときにも、基準手摺である背面手摺３１の可動手摺部材２２の高手摺位置での保持を解除することによって、すべての手摺３１〜３５の可動手摺部材２２を連動させて低手摺位置へ変位させることができ、一部の手摺が収納されないままになることも防止することができる。
【００８３】
なお、上記の例では、通常運転スイッチ５４のキー５５がワイヤ５７を介して可動手摺部材２２に接続されているが、かご上手摺装置４の状態が収納状態であるときの第２の左側手摺３３及び第２の右側手摺３５のそれぞれの可動手摺部材２２間の隙間が狭い場合には、可動手摺部材２２にキー５５を直接固定してもよい。この場合、第２の左側手摺３３及び第２の右側手摺３５のそれぞれの可動手摺部材２２が低手摺位置に変位されると、キー５５がスイッチ本体５６の挿入穴に自動的に挿入される。
【００８４】
また、上記の例では、第１の左側手摺３２の可動手摺部材２２に掛かる突起物４６が第２の左側手摺３３の可動手摺部材２２に固定され、第１の右側手摺３４の可動手摺部材２２に掛かる突起物４７が第２の右側手摺３５の可動手摺部材２２に固定されているが、第２の左側手摺３３の可動手摺部材２２に掛かる突起物４６を第１の左側手摺３２の可動手摺部材２２に固定し、第２の右側手摺３５の可動手摺部材２２に掛かる突起物４７を第１の右側手摺３４の可動手摺部材２２に固定してもよい。この場合、第２の左側手摺３３の可動手摺部材２２から第１の左側手摺３２よりもかご１の内側へ突起物４６が突出し、第２の右側手摺３５の可動手摺部材２２から第１の右側手摺３４よりもかご１の内側へ突起物４７が突出する。
【図１】
0006584691.tif 000002
【図２】
0006584691.tif 000003
【図３】
0006584691.tif 000004
【図４】
0006584691.tif 000005
【図５】
0006584691.tif 000006
【図６】
0006584691.tif 000007
【図７】
0006584691.tif 000008
【図８】
0006584691.tif 000009
【図９】
0006584691.tif 000010
【図１０】
0006584691.tif 000011
【図１１】
0006584691.tif 000012
【図１２】
0006584691.tif 000013
【図１３】
0006584691.tif 000014
【図１４】
0006584691.tif 000015
【図１５】
0006584691.tif 000016